(57)【特許請求の範囲】
【請求項１】
本体部の下部に床固定部を有し且つ上部に背面側に突出した突出部を設けると共に、該本体部の上面に上方に向けて支持ボルトを突設することで支持脚を形成し、本体部の背面を幅木当接面とし、前記支持ボルトの軸芯を本体部の前後方向の略中間位置よりも背面側にずれて位置させ、壁面と床面とのなすコーナー部分に幅木を設け、該幅木の前面に前記幅木当接面を当接すると共に前記突出部を幅木の上方に位置させた状態で床固定部を床面に固定し、前記支持ボルトには壁面に沿った壁前部材の下部の前後方向の略中間部を支持させて成ることを特徴とする床と壁のなすコーナー部分における壁前部材の支持構造。
【請求項２】
支持ボルトの下部を合成樹脂製の本体部に埋設し、該支持ボルトの本体部への埋設部位のうち上部埋設部を前記突出部を含む本体部の上面の部位の前後方向の略中間部に埋設し、支持ボルトの本体部の埋設部位のうち下部埋設部を本体部に備える突出部よりも下方の部位の前後方向の略中間位置に埋設し、前記上部埋設部の下端から前方に向けて一体に屈曲した屈曲埋設部の前端を下部埋設部の上端に一体に連設して成ることを特徴とする請求項１記載の床と壁のなすコーナー部分における壁前部材の支持構造。
【発明の詳細な説明】
【技術分野】
【０００１】
本発明は、床と壁のなすコーナー部分における壁前部材の支持構造に関するものである。
【背景技術】
【０００２】
従来から、組み立て収納体の支柱のような壁前部材を壁面の前方に配設するものとして、例えば特許文献１が知られている。この特許文献１には、収納用枠組体の一構成部材である支柱（前述の壁前部材に該当する）が床に固定した支持脚により支持されている。
【特許文献１】特開２００３−２１９９２１号公報
【発明の開示】
【発明が解決しようとする課題】
【０００３】
ところで、一般的には壁面と床面とのなすコーナー部分には幅木が設置されており、このような壁面の前方に従来例に示す収納用枠組体の支柱を設置するに当たっては、この支持脚の背面を幅木の前面に当接して設置することになるため、前後方向の幅の狭い前記支柱を設置する場合は、支柱側面と壁面前方との間に隙間が生じてしまう。
【０００４】
このように隙間が形成されると、支柱を壁面に沿わせることができないので、支持脚における支持が不安定なものになると共に、ガタツキ等の問題が生じやすくなってしまう。更に、支柱と壁面との隙間の寸法だけ無駄なスペースとなってしまうという問題を有している。
【０００５】
一方、この支柱と壁面とで形成される隙間を無くすために、支柱を壁面側に沿わせるように設置しようとすれば、該支持脚は幅木が邪魔になって壁面方向に移動できず、このため、前後方向の幅の狭い支柱の下面の前寄りの部位を支持脚により支持することになり、支柱の支持が不安定なものとなる。
【０００６】
本発明は上記従来の問題に鑑みてなされたものであり、その目的とするところは、壁面と床面のなすコーナー部に幅木を備える構造であっても、支柱等の壁前部材と壁面との間に隙間を生じさせることがなく、安定した支持が得られて且つ限られたスペースを有効に使用できる床と壁のなすコーナー部分における壁前部材の支持構造を提供することにある。
【課題を解決するための手段】
【０００７】
上記課題を解決するために請求項１に係る発明にあっては、本体部１の下部に床固定部２を有し且つ上部に背面側に突出した突出部３を設けると共に、該本体部１の上面に上方に向けて支持ボルト４を突設することで支持脚５を形成し、本体部１の背面を幅木当接面１１とし、前記支持ボルト４の軸芯を本体部１の前後方向の略中間位置よりも背面側にずれて位置させ、壁面Ｗと床面Ｆとのなすコーナー部分に幅木６を設け、該幅木６の前面に前記幅木当接面１１を当接すると共に前記突出部３を幅木６の上方に位置させた状態で床固定部２を床面Ｆに固定し、前記支持ボルト４には壁面Ｗに沿った壁前部材７の下部の前後方向の略中間部を支持させることを特徴とするものである。
【０００８】
このように構成したことで、壁面Ｗの前方に設置される壁前部材７を壁面Ｗに沿わせることができるので、壁前部材７の前方のスペースを広く確保することができると共に、壁前部材７を壁面Ｗに沿わせているので、安定して壁前部材７を支持脚５によって支持することができる。さらに、ガタツキ等の問題も生じることもない。
【０００９】
また、請求項２に係る発明にあっては、請求項１に係る発明において、支持ボルト４の下部を合成樹脂製の本体部１に埋設し、該支持ボルト４の本体部１への埋設部位のうち上部埋設部４１ａを前記突出部３を含む本体部１の上面の部位の前後方向の略中間部に埋設し、支持ボルト４の本体部１の埋設部位のうち下部埋設部４１ｃを本体部１に備える突出部３よりも下方の部位の前後方向の略中間位置に埋設し、前記上部埋設部４１ａの下端から前方に向けて一体に屈曲した屈曲埋設部４１ｂの前端を下部埋設部４１ｃの上端に一体に連設して成ることを特徴とするものである。
【００１０】
このように構成したことで、請求項１の発明に係る効果に加えて、このように支持ボルト４の本体部１上の軸芯を壁面Ｗ側にずらしても、支持ボルト４の埋設部位を深く取ることができるので、支持ボルト４と本体部１との固着においても十分な強度を備えることを可能とするものである。
【発明の効果】
【００１１】
本発明によれば、床と壁のなすコーナー部分に幅木が設置されていたとしても、壁前部材の下面の前後方向の中間部を支持でき、且つ壁面に壁前部材を沿わすことができるから、壁前部材を安定して支持できるという効果を奏し、それに加えて、壁前部材の前方のスペースが広く確保できるので、使用可能空間の増大を図ることを可能とするものである。
【発明を実施するための最良の形態】
【００１２】
以下、本発明の一実施形態について添付図面を用いて説明する。なお、幅木６の厚み方向を前後方向として、特に幅木６の壁面Ｗ側を後方として説明する。
【００１３】
本発明の実施例は図５に示すように、床面Ｆと壁面Ｗとのなすコーナー部分に幅木６が設置される。この幅木６の前面に支持脚５を当接して設置させ、該支持脚５の上方に壁前部材７を壁面Ｗ前方に沿うように支持させてある。
【００１４】
この支持脚５は図２乃至図４に示すように、合成樹脂からなる本体部１と、該本体部１の下部には前方に突設して支持脚５を床面Ｆに固設する床固定部２と、該本体部１の上部には背面に向けて突出する突出部３とを備え、本体部１上部の該突出部３を含めた部位を支持部８として、該支持部８の上面から支持ボルト４を上方に向けて突設して構成されている。
【００１５】
本体部１は背面を面状の幅木当接面１１とすると共に、正面視では上下に長い台形状に形成されている。なお、この本体部１の正面視の形状は、矩形状であってもよく特に限定されない。
【００１６】
前記床固定部２は、本体部１から前方に向けて突設して形成されている。該床固定部２の上面には、固着具を挿通して床面に固着するための固着部挿通孔２１が上下方向に穿設されている。
【００１７】
背面に向かって突出する前記突出部３の突出長さＬは、幅木６の厚み寸法よりも短い長さ、若しくは同じ長さにて形成される。本体部１における該突出部３の突出する位置は、支持脚５を床面Ｆに載置した状態で幅木６の上面Ａの位置よりも上の部位から突出している。なお本実施例における幅木６は、上下高さが７０ｍｍ、前後長さ（厚み）が９ｍｍにて形成されているため、本体部１における突出部３の位置は、支持脚５の下面から上方に７０ｍｍ以上の位置を突出部３の下面とするようにして突設し、９ｍｍ以下の突出長さＬにて形成されることになる。前記支持ボルト４の支持部８上面の部位は、前記支持部８の上面の前後方向の中間部から（すなわち、本体部１の前後方向の略中間位置よりも背面側にずれた位置から）、上方に向けて金属製の支持ボルト４が突設されている。更に、該支持ボルト４には雄ねじが螺刻されており、調整ナットＮが螺合されている。
【００１８】
この支持ボルト４の下部は、前記本体部１の内部に埋設されている。詳しくは、図２に示すように、支持ボルト４の下部の本体部１に埋設される埋設部４１を上部埋設部４１ａと下部埋設部４１ｃと屈曲埋設部４１ｂとで形成し、該埋設部４１を合成樹脂性の本体部１に埋設して成るものである。該上部埋設部４１ａは、前記支持部８の上面の前後方向の略中間部に埋設されており、上部埋設部４１ａの下端から前方に向けて屈曲した屈曲埋設部４１ｂが連設して設置されている。さらに、下部埋設部４１ｃは本体部１の前後方向の略中間部に位置させて埋設し、該下部埋設部４１ｃの上端部と前記屈曲埋設部４１ｂの下端部とが連続するように連結して形成される。
【００１９】
添付図面に示す壁前部材７の支持構造の一例として、クローゼット内の収納用枠組体の支柱７１の支持構造について、壁前部材７を収納用枠組体の一部をなす支柱７１として詳述する。
【００２０】
本実施形態は、部屋にクローゼット用の凹部（図示せず）を形成しており、この凹部の対向する両側の壁面Ｗに沿ってそれぞれ支柱７１を支持脚５上に立設している。
【００２１】
クローゼット内の床面Ｆと壁面Ｗとで形成されるコーナー部分には断面矩形状の幅木６が設置されている。この幅木６の前面に支持脚５の背面の幅木当接面１１を当接させると共に、本体部１に備える前記突出部３を幅木６の上方に位置させた状態で、支持脚５に備える床固定部２を固着具によって床面に固設するようにして設置される。
【００２２】
本実施例の収納用枠組体の一部をなす支柱７１は図５及び図６に示すように、長辺と短辺を有する断面矩形状にて形成されており、その支柱７１の下面の略中央には取付部としての挿通孔Ｂが穿設してある。あらかじめ調整ナットＮを螺合させておいた支持ボルト４を該取付部としての挿通孔Ｂに挿通することで、調整ナットＮの上面に支柱７１の下面が載置されて、支持脚５に支柱７１が設置される。このように支柱７１が載置された状態で、調整ナットＮを回転させて上下に移動させることで、支柱７１を上下に移動させて支柱７１の高さ調整をする。このような構成によって、支持ボルト４にアジャスター機能を付与することができる。
【００２３】
叙述のごとく設置される支持脚５は、支柱７１を設置する前にあらかじめ床面Ｆに固設しておいてもよく、又は、支柱７１に固設した後に支柱７１と共に床面Ｆに固設してもよい。
【００２４】
このような構成によれば、前後方向の幅の狭い支柱７１であっても壁面Ｗに沿った状態で支持することが可能となり、しかも支柱７１の下面中央にて支持できるから安定して支持できる。特に本実施形態においては、壁面Ｗの前方に支柱７１の側面が当接しているため、支柱７１の支持における安定感がより増大する。仮に本実施形態の支柱７１よりも前後方向の寸法が短い支柱を支持する場合であっても、支持ボルト４が本体部１の背面側にずれて設置されているから、壁面Ｗと支柱との隙間をほとんど生じさせずに壁面Ｗに沿って支柱を支持することが可能となる。
【００２５】
さらに、支持ボルト４の上部埋設部４１ａと屈曲埋設部４１ｂと下部埋設部４１ｃとを備える構成にしたことで、支持部８の上面の支持ボルト４がずれた位置にあっても常に本体部１の内部に支持ボルト４の埋設部４１を埋設できて、且つ支持ボルト４を本体部１に対して深く埋設することができる。このような支持ボルト４は本体部１に対して十分な強度を有するものであり、更なる重量の要請にも応えることができる。また、屈曲埋設部４１ｂは上部への抜け止めの効果も奏する。
【００２６】
上記のようにクローゼット用の凹部の対向する両側の壁面Ｗには、上述した通り、それぞれ前記支柱７１を床面Ｆに固定された支持脚５の上部に立設し、必要に応じてこの両支柱７１，７１の中間に中間支柱７２を支持脚５上に立設する。各支柱７１，７１，７２の上端部にはそれぞれ上枠９が平行するように設置されており、該上枠９の長手方向の辺と各支柱７１，７１，７２の長辺とを平行にさせると共に、該上枠９の長手方向の略中間を支柱７１，７１，７２上端で固着具を用いて固設している（図８及び図９参照）。該上枠９の断面両端には載置片９１が形成してあり、この対向する載置片９１間に棚板（図示せず）を配置し、棚板の両側を載置片９１に載置して固設することで、本実施例の収納用枠組体が構成されている。
【００２７】
更に、図５に示すように、壁面Ｗに沿って立設する両側の支柱７１，７１においては、支柱７１，７１の長辺を壁面Ｗに沿うようにして設置すると共に、支持脚５の背面に壁面Ｗが位置するようにして設置される。一方、中間支柱７２においては、図７に示すように、支柱７２の長辺に突出部３と床固定部２が沿うように位置させて支持脚５が設置される。
【００２８】
以上、壁前部材７の一例として収納用枠組体の一部を成す支柱７１に基づいて本発明を説明したが、壁前部材７は壁掛け用の薄型テレビ等のように壁面Ｗに沿って配設する薄肉な壁前部材７においても適用することができる。また、支柱７１，７２の下面における取付部は挿通孔Ｂに限定されず、取付部に雌ねじを刻設し支持脚５を支柱に螺着するようにしてもよい。更に、支持脚５に備える床固定部２の形状は特に限定されるものではない。
【図面の簡単な説明】
【００２９】
【図１】本発明の一実施形態の側面図である。
【図２】同上の支持脚の側断面図である。
【図３】同上の支持脚の側面図である。
【図４】同上の支持脚の正面図である。
【図５】同上の斜視図である。
【図６】同上の分解斜視図である。
【図７】同上の中間支柱の分解斜視図である。
【図８】同上の中間支柱の組み立て斜視図である。
【図９】同上の支柱又は中間支柱の要部斜視図である。
【符号の説明】
【００３０】
１      本体部
１１    幅木当接面
２      床固定部
２１    固着具挿通孔
３      突出部
４      支持ボルト
５      支持脚
６      幅木
７      壁前部材
７１    支柱
８      支持部
Ａ      幅木上面
Ｌ      突出部突出長さ
Ｆ      床面
Ｗ      壁面
【図１】
0005049186.tif 000002
【図２】
0005049186.tif 000003
【図３】
0005049186.tif 000004
【図４】
0005049186.tif 000005
【図５】
0005049186.tif 000006
【図６】
0005049186.tif 000007
【図７】
0005049186.tif 000008
【図８】
0005049186.tif 000009
【図９】
0005049186.tif 000010